(57)【要約】      （修正有）【課題】外出着としての機能性や、ファッション性をも備えたスラックスの提供。【解決手段】本考案に係るスラックスは、左右の前クリーズ線に沿って取り付けられた２つのスライドファスナーを上下させて開閉することによって前中央身頃が大きく開口する。これによって脚が不自由である高齢者や身障者にとっても着脱が楽なものとなる。同スライドファスナーを構成する左右のファスナー片に設けられた持ち出し部の端部同士が面ファスナーにより係脱自在に形成されているので、スライドファスナーを閉じる際に左右の脇ゴム同士を仮止めができ、座ったままでも少し腰を浮かせるだけで着脱ができる。これによって、車椅子生活者の日常生活や高齢者の腹部の診察時にも効果がある。【選択図】図３
0003115431.tif 000002
【実用新案登録請求の範囲】
【請求項１】
左右の前クリーズ線に沿って取り付けられた２つのスライドファスナーを上下させて開閉することによって着脱を容易にしたスラックスであって、同スライドファスナーを構成する左右のファスナー片に設けられた持ち出し部の端部同士が面ファスナーにより係脱自在に形成されていることを特徴とするスラックス。
【請求項２】
前記スライドファスナーが、かみ合わせのエレメントの部分が隠されてほとんど外に出ないコンシールファスナーであることを特徴とする請求項１記載のスラックス。
【請求項３】
前記スライドファスナーの長さが、前ベルト部下端を基点として１８ｃｍ〜４０ｃｍで、着用者の使用条件に応じた開口面積を確保できることを特徴とする請求項１または請求項２記載のスラックス。
【請求項４】
前記持ち出し部の上端と前中央身頃のベルト布両端を鉤ホックで連結させることを特徴とする請求項１、請求項２、または請求項３記載のスラックス。
【考案の詳細な説明】
【技術分野】
【０００１】
本考案は、脚が不自由である高齢者や身障者が着脱に便利なスラックスに関するものである。
【背景技術】
【０００２】
従来の障害者用のスラックスや介護用のズボンの大半は、脱着を容易にするためのファスナーが両脇に設けられていた。
また、前部にファスナーを設けたものは、ファスナーの上部の開口端同士を直接係脱するようになっていた。
これらはパジャマのズボン等の室内着として考案されたものがほとんどであった。
【特許文献１】公開実用新案平成４−２１５０７号公報
【特許文献２】公開実用新案平成２−１４２４１４号公報
【特許文献３】実用新案登録第３０６５２６８号公報
【特許文献４】実用新案登録第３０７２７８５号公報
【考案の開示】
【考案が解決しようとする課題】
【０００３】
両脇にファスナーを設けたスラックスは脇にポケットを設けることが出来なかった。しかも、自分自身でファスナーをスライドさせるのに手が届きにくいという問題点があった。さらには、機能を重視するのみでファスナーが目立ちすぎてファッション性に欠けるものであった。また、前部にファスナーを設けたものでも持ち出し部を設けていなかったので、仮止めが出来ない為に穿く際にスラックスがずり落ちる問題点があった。本考案ではこのような問題点を解決し、外出着としての機能性やファッション性をも備えたスラックスを提供することを課題とする。
【課題を解決するための手段】
【０００４】
本考案に係るスラックスは、左右の前クリーズ線に沿って取り付けられた２つのスライドファスナーを上下させて開閉することによって着脱を容易にしたスラックスであって、同スライドファスナーを構成する左右のファスナー片に設けられた持ち出し部の端部同士が面ファスナーにより係脱自在に形成されている。
また、スライドファスナーとして、かみ合わせのエレメントの部分が隠されて目立たないようにコンシールファスナーを採用している。
スライドファスナーの長さは前ベルト部下端を基点として１８ｃｍ〜４０ｃｍとし、着用者の利便性を考慮しつつ、ファッション性を損なわないようしている。
さらに、持ち出し部の上端と前中央身頃のベルト布両端を鉤ホックで連結できるようにしている。
【考案の効果】
【０００５】
本考案に係るスラックスは、左右の前クリーズ線に沿って取り付けられた２つのスライドファスナーを上下させて開閉することによって前中央身頃が大きく開口する。これによって脚が不自由である高齢者や身障者にとっても着脱が楽なものとなる。
【０００６】
また、スライドファスナーを構成する左右のファスナー片に設けられた持ち出し部の端部同士が面ファスナーにより係脱自在に形成されているので、スライドファスナーを閉じる際に左右の脇ゴム同士を仮止めができ、座ったままでも少し腰を浮かせるだけで着脱ができる。これによって、車椅子生活者の日常生活や高齢者の腹部の診察時にも効果がある。
【０００７】
また、スライドファスナーとして、かみ合わせのエレメントの部分が隠されてほとんど外に出ないコンシールファスナーを採用しているので、ファッション性に優れ外出用として重宝する。
【考案を実施するための最良の形態】
【０００８】
以下、図面に示す実施の形態について説明する。
図１は本考案に係るスラックス１の正面図、図２は本考案に係るスラックス１の背面図、図３はクリーズ線上に取り付けたファスナー１０、１０'を開いた時の開口部の斜視図である。
【０００９】
本考案に係るスラックス１は、前ベルト５と脇ゴム６、６'、後ゴム７に前中央身頃２、前身頃３、３'、後身頃４、４'からなる本体部分と持ち出し部１２、１２'やスライドファスナー１０、１０'、１１、１１'さらに脇ポケット９、９'のパーツで構成されている。前クリーズ線８、８'上に設けられたスライドファスナーを前ベルト５から下方向に開けることにより、図３のように前中央身頃２が前ベルト５とともに大きく開口する。その下に現れた持ち出し部１２、１２'の重なり部分に設けた面ファスナー１５、１５'をめくることにより、スラックスの腹部が両側に大きく開くことになる。この穿き入れ部が大きくなることにより脚が不自由である高齢者や身障者にとっても着脱が楽なものとなる。さらには、スライドファスナーを閉じる際に、左右の脇ゴム同士６、６'を仮止めができ、座ったままでも少し腰を浮かせるだけで着脱ができる。そして、前ベルト５と左右の持ち出し部１２、１２'に設けられた鉤ホック１３、１３'、１４、１４'をはめ、スライドファスナーを上方向に引き上げることによって着衣を終了する。これによって、車椅子生活者の日常や高齢者の腹部の診察時にも効果がある。
【００１０】
こうして、脇部分が自由に使えることにより、脇ポケット９、９'を設けることができ、一般のスラックスと同じように外出時に便利に使用できる。ベルト部はしっかりした前ベルト５に伸縮性のある脇ゴム６、６'と後ゴム７から構成され、座った時や動きにも楽に着用できる。また、裾内側にスライドファスナー１１、１１'を設けることによって穿き入れをより楽にし、膝の診察時やサポーターの取替え時にもスラックスを下ろさずに対応できる。
【図面の簡単な説明】
【００１１】
【図１】本考案に係るスラックスの正面図。
【図２】本考案に係るスラックスの背面図。
【図３】クリーズ線上のファスナーを開いた時の開口部の斜視図。
【符号の説明】
【００１２】
１ スラックス
２ 前中央身頃
３ 右前身頃
３' 左前身頃
４ 右後身頃
４'左後身頃
５ 前ベルト
６ 右脇ゴム
６'左脇ゴム
７ 後ゴム
８ 右クリーズ線
８'左クリーズ線
９ 右脇ポケット
９'左脇ポケット
１０ 右脇スライドファスナー
１０' 左脇スライドファスナー
１１ 右裾スライドファスナー
１１'左裾スライドファスナー
１２ 右持ち出し部
１２'左持ち出し部
１３ 右鉤ホックオス
１３'左鉤ホックオス
１４ 右鉤ホックメス
１４'左鉤ホックメス
１５ 上前面ファスナー
１５'下前面ファスナー
【図１】
0003115431.tif 000003
【図２】
0003115431.tif 000004
【図３】
0003115431.tif 000005